(57)【要約】【課題】光ディスク装置の薄型化のため、光ディスクのローディング及びアンローディング時におけるディスク面の支持高さ位置を低くできる技術を提供する。【解決手段】装置基盤としての第１に基台に対して変位可能でユニットメカ部の支持部分を構成する第２の基台を覆うカバー部材として、該第２の基台の平面領域のうちユニットメカ部の光ピックアップ移動領域の両側に位置する平面領域を覆い、かつ、該両平面領域のうちイジェクトアーム部材側の平面領域を覆う平面部により、光ディスクのローディングまたはアンローディング時に、回動変位するイジェクトアーム部材を支持する構成とする。また、イジェクトアーム部材は、ローディング終了時、光ディスクの正投影領域外に位置させる。【選択図】図３
2007213673.tif 000002
【特許請求の範囲】
【請求項１】
イジェクトアーム部材を回動変位させて光ディスクを装置本体に対しローディング及びアンローディングする構成を備えた光ディスク装置であって、
装置基盤としての第１の基台と、
光ピックアップを含むユニットメカ部の支持部分を構成し、上記第１の基台に対し該第１の基台の平面に略直角な平面内で変位可能な第２の基台と、
光ディスクのローディング及びアンローディング時、該光ディスクの外周面に当接した状態で、上記第１の基台の平面に略平行な平面内で回動支点周りに回動変位するイジェクトアーム部材と、
上記第２の基台上の平面領域のうち、上記ユニットメカ部の光ピックアップ移動領域の両側に位置する平面領域を覆い、該両平面領域のうちの上記イジェクトアーム部材側の平面領域を覆う平面部が、ディスク挿入方向側の端部を上記第１の基台側に拘束され、かつ、上記ローディング及びアンローディング時、該拘束状態で上記イジェクトアーム部材に当接して該イジェクトアーム部材を支持するカバー部材と、
を備えたことを特徴とする光ディスク装置。
【請求項２】
上記イジェクトアーム部材は、光ディスクのローディング終了時、光ディスクの正投影領域の外部に位置する構成である請求項１に記載の光ディスク装置。
【請求項３】
上記カバー部材は、上記両平面領域のうちイジェクトアーム部材側の平面領域を覆う平面部が、その上記ディスク挿入方向側の端部を、上記第１の基台側に固定されたブラケットに当接して拘束される構成である請求項１に記載の光ディスク装置。
【請求項４】
上記カバー部材は、上記両平面領域のうちイジェクトアーム部材側の平面領域を覆う平面部が、上記ディスク挿入方向側の端部を、上記第１の基台上に固定されたブラケットに当接して拘束され、かつ、上記両平面領域のうち他方の側の平面領域を覆う平面部が上記第２の基台に固定される構成である請求項１に記載の光ディスク装置。
【請求項５】
上記アーム部材は、光ディスクのローディング開始後、途中までの第１の回動範囲では上記カバー部材の上記平面部に当接して支持され、ローディング終了位置を含む第２の回動範囲では上記第１の基台に固定されたブラケットの平面部により支持される構成である請求項１に記載の光ディスク装置。
【請求項６】
上記カバー部材と上記ブラケットとは、それぞれの上記平面部の高さが互いに略等しくされた構成である請求項５に記載の光ディスク装置。
【請求項７】
上記カバー部材は、上記平面部のディスク排出方向側の端部が上記第２の基台側に固定された構成である請求項１に記載の光ディスク装置。
【請求項８】
上記第２の基台は、上記第１の基台側に設けられた支点の周りに回動変位する構成である請求項１に記載の光ディスク装置。
【請求項９】
装置の厚さ寸法が９．５×１０−３ｍ以下とされた構成である請求項１から８のいずれかに記載の光ディスク装置。
【発明の詳細な説明】
【技術分野】
【０００１】
本発明は、光ディスク装置に係り、特に、光ディスクをローディング及びアンローディングするイジェクトアーム部材の支持技術に関する。
【背景技術】
【０００２】
本発明に関連した技術としては、例えば、特開２００２−３５２４９８号公報（特許文献１）や特開２００５−２４３０９１号公報（特許文献２）に記載されたものがある。特開２００２−３５２４９８号公報には、ディスクの外周が当接するガイド１０１を可動側端部に有し、ディスクの挿入・排出動作に伴って該可動側端部を回動支点１０２の周りに回動変位させる構成の排出レバー１００（イジェクトアーム）を備えたディスク装置が記載され、特開２００５−２４３０９１号公報には、１２ｃｍディスク専用のスロットイン方式のディスク装置において、８ｃｍディスクの進入を阻止するために、８ｃｍディスクの前周縁が当接するストッパ１９を先端に有するディスク支持アーム１７を備えた構成が記載されている。
【０００３】
【特許文献１】特開２００２−３５２４９８号公報
【特許文献２】特開２００５−２４３０９１号公報
【発明の開示】
【発明が解決しようとする課題】
【０００４】
上記公報記載の従来技術のうち、特開２００２−３５２４９８号公報記載の排出レバー１００は、例えば、図９、図１０、図１１に示されるように、幅広構成のものを用い、ディスクのローディングが終了した状態においても、該レバーの平面の大部分がディスク外周の内側に位置する構成とされている。該排出レバー１００は回動支点１０２だけで支持されていると考えられるため、ディスクのローディング時は、該排出レバー１００によるディスク支持位置を、スピンドルモータ３１などの先端部などよりも十分に高くしておかないと、ディスク面が該スピンドルモータ３１などに接触して記録面に汚れや損傷が発生するおそれがある。排出レバー１００におけるディスク支持位置を高くすることは、ディスク装置の厚さ寸法の増大につながり、薄型化を阻害する。また、ディスクのローディング終了状態においても、排出レバー１００の平面がディスク面とオーバーラップする構成のため、ディスクのチャッキングのためにトラバース３０がディスク面方向に上昇した場合にも、該排出レバー１００が該トラバース３０側の部品に押されてディスク面側に変位しないようにするために、該排出レバー１００の高さ位置を高くして該トラバース３０と該排出レバー１００との間の距離を十分大きくする必要がある上、さらに、ディスク回転時にディスク面が該排出レバー１００に接触しないようにするために、ディスク面の高さ位置を高くして該排出レバー１００とディスク面との間の距離も十分に大きくする必要がある。排出レバー１００の高さ位置を高くし、かつ、ディスク面の高さ位置を高くすることは、ディスク装置の厚さ寸法の大幅増大につながり、装置の薄型化を阻害する。
【０００５】
上記幅広構成の排出レバー１００の場合、該排出レバー１００の高さ位置を規制する技術としては、例えば、ベース本体１０側またはリアベース１３側にガイドシャフト部材など高さ規制用手段を設け、該手段により該排出レバー１００の幅広の平面部を支え、ディスクローディング時またはローディング終了時（プレイ動作可能時も含む）における高さ規制を行う構成が考えられるが、ローディング終了状態において該排出レバー１００の平面がディスク面とオーバーラップする構成である限り、装置の厚さ寸法の削減化は、上記理由から困難であると考えられる。
【０００６】
また、特開２００５−２４３０９１号公報記載の技術では、ディスク支持アーム１７として、幅狭構成のものであって、１２ｃｍディスクのローディング時に該ディスクに押されて支点周りに揺動し、ディスクのローディングが終了した状態では、ディスク外周の外側に位置するものが開示されている（図２及び図７）が、該ディスク支持アーム１７の支持は全てその揺動支点で行うようになっている。このため、ディスクローディング時、該ディスク支持アーム１７におけるディスク支持位置を、クランプヘッド７やターンテーブル１０よりも十分に高い位置にしておかないと、ディスク面がクランプヘッド７やターンテーブル１０に接触して汚れや損傷を発生する。ディスク支持アーム１７におけるディスク支持位置を高くすることはやはり、ディスク装置の厚さ寸法の増大につながり、薄型化を阻害する。
【０００７】
本発明の課題点は、上記従来技術の状況に鑑み、光ディスク装置において、光ディスクのローディング及びアンローディング時におけるディスク面保護を確保した状態で、ディスク面の高さ位置を低くし、装置のより一層の薄型化を図れるようにすることである。
本発明の目的は、かかる課題点を解決し、信頼性の高い薄型構成の光ディスク装置を提供することにある。
【課題を解決するための手段】
【０００８】
上記課題点を解決するために、本発明では、光ディスク装置において、装置基盤としての第１に基台に対して変位可能でユニットメカ部の支持部分を構成する第２の基台を覆うカバー部材を、該第２の基台の平面領域のうちユニットメカ部の光ピックアップ移動領域の両側に位置する平面領域を覆い、かつ、光ディスクのローディングまたはアンローディング時に、該両平面領域のうちイジェクトアーム部材側の平面領域を覆う平面部により、回動変位するイジェクトアーム部材を支持する構成のものとする。また、イジェクトアーム部材は、ローディング終了時（プレイ動作可能時を含む）に、光ディスクの正投影領域外に位置する構成とする。
【発明の効果】
【０００９】
本発明によれば、光ディスク装置の薄型化を図ることができる。
【発明を実施するための最良の形態】
【００１０】
以下、本発明の実施例につき、図面を用いて説明する。
図１〜図７は本発明の実施例の説明図である。図１は、本発明の一実施例としてのスロットイン型の光ディスク装置の全体構成例図であって、光ディスクがローディングされる前のイニシャル状態を示す図、図２は、図１の光ディスク装置において光ディスクがローディング終了したプレイ動作可能状態（プレイ状態を含む）を示す図、図３は、図１、図２の光ディスク装置におけるイジェクトアーム部材とその支持構造の説明図、図４は、図１、図２の光ディスク装置におけるカバー部材の構造図、図５は、図１、図２の光ディスク装置におけるイジェクトアーム部材の変位特性例を示す図、図６及び図７は、図１、図２の光ディスク装置における薄型化効果の説明図である。なお、各図において、同じ構成要素には同じ符号を付しかつ同じ座標軸を用いるものとする。
【００１１】
図１及び図２は、本発明の実施例としての光ディスク装置の表側（ディスク載置側）の構成例図である。
図１及び図２において、１は光ディスク装置、１００は、記録媒体としての光ディスク、２は、光ディスク１００を回転駆動するディスクモータ、２ａは、光ディスクを載置するターンテーブル、３は、ディスクモータ２の回転部上に配され、光ディスク１００をその半径方向に支持してチャッキングするクランパ部、４は光ピックアップ、４ａは対物レンズ、７は、装置基盤である第１の基台としてのシャーシ、８は、シャーシ７に固定されたブラケット、９は、ディスクモータ２及び光ピックアップ４が搭載されて成るユニットメカ部、９１は、ユニットメカ部９の支持部分を構成し、上記シャーシ７に対し該シャーシ７の平面に略直角な平面内で回動変位可能な第２の基台としてのユニットメカデッキ部材、１０は、光ディスク装置１の裏面側を覆うボトムケース、３１はイジェクトアーム部材、３１ａは、光ディスク１００のローディング時またはアンローディング時に光ディスク１００の外周面に当接するイジェクトアーム部材３１のディスク当接部、３１ｃは、イジェクトアーム部材３１の回動支点、３１ｂは、イジェクトアーム部材３１のアーム部、３１ｅは、イジェクトアーム部材３１のアーム結合部、３０は、ユニットメカデッキ部材９１をシャーシ７の平面に略直角な平面内で支点周りに回動させ、シャーシ７に対して昇降変位させる昇降機構、６０は、光ピックアップ４を光ディスク１００の略半径方向に移動させるリードスクリュー部材（図示なし）を回転駆動する送りモータ、８０は、光ディスク１００をローディング移動またはアンローディング移動させるための駆動力を発生するローディングモータ、２５、２６は、ユニットメカデッキ部材９１の回動支点、Ｐ−Ｐ'は、回動支点２５、２６を通る直線（以下、支点線という）、７１は、光ディスク１００を装置本体内に引き込むためのディスクスロットアーム部材、７２はサブレバー部材である。
【００１２】
また、５は、上記ユニットメカデッキ部材９１上の平面領域のうち、ユニットメカ部９の光ピックアップ移動領域９２（光ピックアップ４が光ディスク１００の略半径方向に移動するときに占める空間領域）の両側に位置する平面領域を覆うカバー部材、５ａは、該カバー部材５の平面部であって、該両平面領域のうちイジェクトアーム部材３１が配された側の平面領域を覆う平面部、５ｂは、同じくカバー部材５の平面部であって、上記両平面領域のうち送りモータ６０やローディングモータ８０が配された側の平面領域を覆う平面部である。カバー部材５の平面部５ａは、例えば、光ピックアップ４の接続用のフレキシブル配線基板（ＦＰＣ）のたるみによる持ち上がりなどを防止し、また、同平面部５ｂは、例えば、上記リードスクリュー部材や送りモータ６０などからの潤滑剤が飛散するのを防止することを可能にする。光ディスク装置１において、かかる装置表面側はトップカバー（図示なし）により覆われる。
【００１３】
上記イジェクトアーム部材３１は、上記回動支点３１ｃが、シャーシ７側に設けられまたは該シャーシ７側の部材に係合されて設けられている。カバー部材５は、平面部５ａが、ディスク挿入方向（ローディング時、光ディスク１００が挿入移動する方向：Ｙ軸方向）側の端部５ａ１を上記シャーシ７側に拘束されすなわち上記シャーシ７に固定されたブラケット８に当接して拘束され、ディスク排出方向（アンローディング時、光ディスク１００が排出移動される方向：−Ｙ軸方向）側の端部５ａ２を上記ユニットメカデッキ部材９１側に固定され、また、平面部５ｂは、ディスク挿入方向側の端部５ｂ１も、ディスク排出方向側の端部５ｂ２もともに、上記ユニットメカデッキ部材９１側に固定されている。このため、ユニットメカデッキ部材９１がシャーシ７に対して回動変位するとき、該カバー部材５の平面部５ｂは、該回動変位によってユニットメカデッキ部材９１とともに変位するが、平面部５ａは、該回動変位によらずに略一定の高さ位置に保持される。該平面部５ａは、ブラケット８の平面部と略同じ高さ位置とされている。該平面部５ａは、光ディスク１００のローディング時またはアンローディング時、回動する上記イジェクトアーム部材３１のアーム部３１ｂ（アーム結合部３１ｅよりも先端側の部分を指し、回動支点３１ｃの裏面側部分も含む）に当接して該イジェクトアーム部材３１を支持し該イジェクトアーム部材３１のＺ軸方向の高さ規制を行う。該平面部５ａは、光ディスク１００のローディングが行われないイニシャル状態（図１）時も、イジェクトアーム部材３１に当接して該イジェクトアーム部材３１を支持し、該イジェクトアーム部材３１のＺ軸方向の高さを規制する。
【００１４】
上記構成において、例えば、光ディスク１００がローディングされるとき、光ディスク１００がディスク装置１内にＹ軸方向に挿入され、該光ディスク１００の外周面が、イジェクトアーム部材３１のディスク当接部３１ａに当接して該ディスク当接部３１ａをＹ軸方向に押し、イジェクトアーム部材３１を回動支点３１ｃ周りに矢印Ｅの方向に回動させる。該回動により、アーム部３１ｂとアーム結合部３１ｅもともに矢印Ｅ方向に回動変位する。アーム結合部３１ｅの回動変位量が所定値に達すると、該アーム結合部３１ｅがスイッチ（図示なし）を押し、ローディングモータ８０の通電をオン状態にして該ローディングモータ８０を回転状態にする。該ローディングモータ８０の回転駆動力は、伝達ギヤ列等（図示なし）を経てディスクスロットアーム部材７１やサブレバー部材７２に伝達され、これらの部材が変位することにより、光ディスク１００が自動的に装置本体内のＹ軸方向に引き込まれる。該引き込み動作時、該光ディスク１００の外周面は、イジェクトアーム部材３１のディスク当接部３１ａに当接した状態で該ディスク当接部３１ａをＹ軸方向にさらに押し、イジェクトアーム部材３１を回動支点３１ｃ周りにさらに回動変位させる。該回動変位のとき、イジェクトアーム部材３１のアーム部３１ｂは、ローディング開始後すなわち回動変位開始後、ローディング途中までの第１の回動範囲では上記カバー部材５の上記平面部５ａに当接した状態で該平面部５ａに支持され、該第１の回動範囲に続く、ローディング終了位置（プレイ動作可能位置）を含む第２の回動範囲では、シャーシ７に固定されたブラケット８の平面部により支持される（図２）。ローディング終了位置（プレイ動作可能位置）では、イジェクトアーム部材３１のディスク当接部３１ａは、光ディスク１００の外周面から離間した状態とされる（図２）。また、該ローディング終了位置（プレイ動作可能位置）では、該イジェクトアーム部材３１は、ディスク当接部３１ａのみならず、回動支点３１ｃ、アーム部３１ｂ及びアーム結合部３１ｅを含む全部が、光ディスク１００の正投影領域の外部に位置するようにされる（図２）。
【００１５】
上記のように、ローディングモータ８０の回転駆動力は、昇降機構３０にも伝達される。昇降機構３０は、ローディングモータ８０の回転駆動力が伝達されると、ユニットメカデッキ部材９１側に固定されたピン等（図示なし）を駆動してＺ軸方向に押し上げて移動変位させる。ピン等が該移動変位することで、ユニットメカデッキ部材９１が、回動支点２５、２６周りすなわち支点線Ｐ−Ｐ'周りに回動し、該ユニットメカデッキ部材９１上のディスクモータ２やターンテーブル２ａやクランパ部３を、シャーシ７に対して上昇移動させる。ターンテーブル２ａの該上昇移動により、光ディスク１００が上昇移動され、トップカバー（図示なし）の内面部に押し当てられた状態でチャッキングされる。該チャッキングは、イジェクトアーム部材３１のディスク当接部３１ａが、光ディスク１００の外周面から離間した状態となっているタイミングで行われる。チャッキング後、昇降機構３０は、ユニットメカデッキ部材９１を所定の位置まで下降させる。該所定位置で光ディスク１００のローディングが終了し、該光ディスク１００はプレイ動作が可能な状態となる。該ローディング終了状態（プレイ動作可能状態）においては、ユニットメカデッキ部材９１の面は、ボトムケース１０の内面に対し略平行となる。
本光ディスク装置１では、装置の厚さ寸法（トップカバーの外表面とボトムケース１０の外表面との間の距離）が９．５×１０−３ｍ以下とされているものとする。
以下、説明中で用いる図１、図２の装置構成における構成要素には、図１、図２の場合と同じ符号を付して用いるとする。
【００１６】
図３は、図１、図２の光ディスク装置１におけるイジェクトアーム部材３１とその支持構造の説明図である。
図３において、３１ｄは、イジェクトアーム部材３１の回動中心、３１ｂ１は、イジェクトアーム部材３１のアーム部３１ｂ内にプレス加工等により形成され−Ｚ軸方向に突出した帯状の凸部、５ａ１１は、カバー部材５の平面部５ａのディスク挿入方向側の端部５ａ１の一部であって、ブラケット８の下面（−Ｚ軸方向側の面）に当接して係合される係合部分である。他の符号は、図１、図２の場合と同じである。カバー部材５の平面部５ａは、片持ち梁の構成を有し、Ｚ軸方向に弾性復元力が作用する構成であり、端部５ａ１の係合部分５ａ１１がブラケット８の下面に係合（係止）されることで、該ブラケット８の下面に弾性復元力を作用させた状態で該ブラケット８により拘束され、所定の高さ位置を保持している。光ディスク１００のローディング時には、その途中までの第１の回動範囲にあるイジェクトアーム部材３１のアーム部３１ｂの凸部３１ｂ１が、上記カバー部材５の平面部５ａに対して例えば面接触状態で当接して該平面部５ａにより支持される。光ディスク１００のアンローディング時においても、ローディング時と同様、イジェクトアーム部材３１のアーム部３１ｂの凸部３１ｂ１がカバー部材５の平面部５ａに当接して支持される。
【００１７】
図４は、図１、図２の光ディスク装置１におけるカバー部材５の斜視図である。
図４において、５ｃは、平面部５ａと平面部５ｂとの間のスリットである。他の符号は、図１〜図３の場合と同様である。端部５ａ２、５ｂ１、５ｂ２は、第２の基台としてのユニットメカデッキ部材９１側に固定され、端部５ａ１は、ブラケット８によって拘束される。すなわち、端部５ｂ１、５ｂ２間の平面部５ｂは、ユニットメカデッキ部材９１とともに昇降移動動作を行うが、平面部５ａは、ユニットメカデッキ部材９１の昇降移動動作にはほとんど影響されず、所定の高さ位置を保持する。本図４のカバー部材５では、端部５ａ２と端部５ｂ２間が連続した構成となっているが、該両端部５ａ２、５ｂ２間は分離されている構成であってもよい。
【００１８】
図５は、図１、図２の光ディスク装置１におけるイジェクトアーム部材３１の変位特性例を示す図である。
図５において、特性の横軸は、光ディスク１００の光ディスク装置１内への挿入位置（Ｙ軸方向位置）ｙ、縦軸は、イジェクトアーム部材３１が光ディスク１００の外周面から離間する距離（以下、離間距離という）ζを示す。横軸のｙ１は、光ディスク１００が光ディスク装置１内に挿入を開始するＹ軸方向位置、ｙ２は、光ディスク１００の外周面がイジェクトアーム部材３１のディスク当接部３１ａに接触（当接）を開始するＹ軸方向位置、ｙ３は、イジェクトアーム部材３１の支持が、カバー部材５による支持からブラケット８による支持に切替わるＹ軸方向位置、ｙ４は、光ディスク１００の挿入が終了する位置すなわちローディングが終了してプレイ動作が可能となるＹ軸方向位置である。光ディスク１００がＹ軸方向位置ｙ１、ｙ３間にあるときは、イジェクトアーム部材３１は、カバー部材５の平面部５ａに当接して支持され、光ディスク１００がＹ軸方向位置ｙ３、ｙ４間にあるときは、イジェクトアーム部材３１は、ブラケット８の平面部に当接して支持される。Ｙ軸方向位置ｙ２、ｙ３間の範囲は、イジェクトアーム部材３１の第１の回動範囲、Ｙ軸方向位置ｙ３、ｙ４間の範囲は、イジェクトアーム部材３１の第２の回動範囲である。
【００１９】
また、図５の特性において、縦軸の離間距離ζがゼロ「０」の点は、イジェクトアーム部材３１が、光ディスク１００の外周面に直接当接するかまたは光ディスク１００の正投影領域に接する位置であり、該離間距離ζが負となる範囲は、イジェクトアーム部材３１の一部が、光ディスク１００の外周面を越えてディスク面と重なる領域すなわち光ディスク１００の正投影領域内に入り込んでいる範囲である。
【００２０】
また、図５の特性中、ａは、イジェクトアーム部材３１のディスク当接部３１ａ近傍の先端部が、光ディスク１００の外周面から離間する距離を示す特性線、ｂは、イジェクトアーム部材３１のアーム部３１ｂの回動半径方向の中間部が、光ディスク１００の外周面から離間する距離を示す特性線、ｃは、従来技術におけるイジェクトアーム部材（例えば特開２００２−３５２４９８号公報記載の排出レバーなど）のアーム部の回動半径方向の中間部が、光ディスク１００の外周面から離間する距離を示す特性線である。図１、図２の光ディスク装置１においては、特性線ａ、ｂに示されるように、イジェクトアーム部材３１は、アーム部３１ｂの回動半径方向の中間部も、ディスク当接部３１ａ近傍の先端部もいずれもが、Ｙ軸方向位置ｙ２、ｙ４間の範囲で光ディスク１００の正投影領域内には入り込まず（先端部が入り込んだとしても入り込み量はわずかである）、少なくともＹ軸方向位置ｙ４においては、該イジェクトアーム部材３１は、いずれの部分もが光ディスク１００の正投影領域の外部に位置するようにされる。これに対し、従来技術におけるイジェクトアーム部材の場合には、特性線ｃに示されるように、イジェクトアーム部材は、そのアーム部の回動半径方向の中間部が、Ｙ軸方向位置ｙ２、ｙ４間の範囲で光ディスク１００の正投影領域内に入り込み、Ｙ軸方向位置ｙ４においても、該正投影領域内に入り込んだままである。ディスク当接部近傍の先端部についてもこれとほぼ同様である。
【００２１】
図１、図２の光ディスク装置１において、ジェクトアーム部材３１の変位特性を特性線ａ、ｂのようにし、特に、Ｙ軸方向位置ｙ４において、該イジェクトアーム部材３１を光ディスク１００の正投影領域の外部に位置させることができるのは、主として、イジェクトアーム部材３１のアーム部３１ｂを湾曲状にするとともに幅寸法を狭くしていることに基づく。図１、図２の光ディスク装置１においては、回動変位するイジェクトアーム部材３１を、カバー部材５の平面部５ａとブラケット８の平面で支持する構成としているため、イジェクトアーム部材３１の安定な支持が可能となり、この結果、該イジェクトアーム部材３１の湾曲状化と狭幅化が可能となっている。すなわち、本発明の実施例としての図１、図２の光ディスク装置１においては、湾曲状で狭幅寸法のイジェクトアーム部材３１を、カバー部材５の平面部５ａとブラケット８の平面とにより安定に支持することで、装置の薄型化を図っている。
【００２２】
図６及び図７は、図１、図２の光ディスク装置１における薄型化効果の説明図である。図６は、図１、図２の光ディスク装置１において、狭幅構造のイジェクトアーム部材３１を、カバー部材５の平面部５ａとブラケット８の平面で支持する場合の支持構成の断面図、図７は、従来技術におけるように、広幅構造のイジェクトアーム部材をガイドシャフトで支持する場合の支持構成の断面図である。
【００２３】
図６において、（ａ）は、光ディスク１００がローディング前のイニシャル状態にある場合すなわち図５のＹ軸方向位置ｙ１、ｙ２間位置にある場合、（ｂ）は、光ディスク１００がローディングを終了したプレイ可能位置にある場合すなわち図５のＹ軸方向位置ｙ４の位置にある場合である。図６（ａ）の状態では、ｙ２位置で光ディスク１００の外周面がイジェクトアーム部材３１のディスク当接部３１ａに接して該イジェクトアーム部材３１を矢印Ｅ（図１、図３）の方向に押す。このとき、該イジェクトアーム部材３１は、アーム部３１ｂにおいて、カバー部材５の平面部５ａに当接し該平面部５ａによって支持されている。ｈ０は、カバー部材５の平面部５ａの、ボトムケース１０の内面からの高さ寸法、ｈ１は、光ディスク１００の下面の、ボトムケース１０の内面からの高さ寸法、ｇ１は、イジェクトアーム部材３１のアーム部３１ｂの表面と光ディスク１００の下面との間のギャップ寸法、ｔは、イジェクトアーム部材３１のアーム部３１ｂの厚さ寸法、Ｈは、トップカバー１１の外表面とボトムケース１０の外表面との間の距離すなわち光ディスク装置の厚さ寸法である。また、（ｂ）の状態では、イジェクトアーム部材３１は、ディスク当接部３１ａが光ディスク１００の外周面から離間し、アーム部３１ｂを含むいずれの部分もが光ディスク１００の正投影領域の外部に位置し、アーム部３１ｂがブラケット８の平面部に当接して支持されている。ｈ２は、クランパ部３にチャッキングされターンテーブル２ａ上に載置された光ディスク１００の下面の、ボトムケース１０の内面からの高さ寸法、ｇ２は、該光ディスク１００の下面とイジェクトアーム部材３１のアーム部３１ｂの表面との間のギャップ寸法である。このように、図１、図２に示す光ディスク装置１では、図６（ａ）、（ｂ）いずれにおいても、イジェクトアーム部材３１のアーム部３１ｂの裏面（カバー部材５の平面部５ａに当接する面）の高さ位置は、ほぼ高さ寸法ｈ０と等しい低位置となり、かつ、ギャップ寸法ｇ１、ｇ２も小寸法にされる。このため、付随的に、光ディスク１００の高さ位置も低位置となる。この結果、光ディスク装置１では、装置の薄型化が可能となる。なお、ユニットメカデッキ部材９１は、図６（ａ）の状態では、ボトムケース１０の内面に対し傾斜した状態にあり、図６（ｂ）の状態では、ボトムケース１０の内面に対し略平行な状態となる。
【００２４】
また、図７においても、（ａ）は、光ディスク１００がローディング前のイニシャル状態にある場合すなわち図５のＹ軸方向位置ｙ１、ｙ２間位置にある場合、（ｂ）は、光ディスク１００がローディングを終了したプレイ可能位置にある場合すなわち図５のＹ軸方向位置ｙ４の位置にある場合である。図７（ａ）、（ｂ）において、５'は、ユニットメカデッキ部材上の平面領域を覆うカバー部材、５ａ'はカバー部材５'の平面部、８'はブラケット、１０'はボトムケース、３１'は、広幅構造のイジェクトアーム部材、３１ａ'は、光ディスク１００の外周面に当接するイジェクトアーム部材３１'のディスク当接部、３１ｂ'は、イジェクトアーム部材３１'の広幅構造のアーム部、３１ｃ'は、イジェクトアーム部材３１'の回動支点、３１ｄ'は、イジェクトアーム部材３１'の回動中心、２０１'は、光ディスク１００のローディングまたはアンローディング時にイジェクトアーム部材３１'の下面を支持するガイドシャフトである。
【００２５】
図７（ａ）の状態では、イジェクトアーム部材３１'は、広幅構造のアーム部３１ｂ'がガイドシャフト２０１'の先端に当接し該先端によって支持されている。ｈ０'は、カバー部材５'の平面部５ａ'の、ボトムケース１０'の内面からの高さ寸法、ｈ１'は、光ディスク１００の下面の、ボトムケース１０'の内面からの高さ寸法、ｇ１'は、イジェクトアーム部材３１'のアーム部３１ｂ'の表面と光ディスク１００の下面との間のギャップ寸法、ｊ１'は、カバー部材５'の平面部５ａ'とイジェクトアーム部材３１'の下面との間のギャップ寸法、ｔ'は、イジェクトアーム部材３１'のアーム部３１ｂ'の厚さ寸法である。ギャップ寸法ｊ１'は、ガイドシャフト２０１'の高さをカバー部材５'の平面部５ａ'の高さよりも高くすることにより形成される。
【００２６】
また、図７（ｂ）の状態では、イジェクトアーム部材３１'は、その広幅構造のアーム部３１ｂ'の一部がブラケット８'の平面部に当接し該平面部によって支持されている。ブラケット８'の平面部は、ガイドシャフト２０１'の先端と略同じ高さ位置に設けられている。△ｈ０'は、カバー部材５'の平面部５ａ'がユニットメカデッキ部材とともに、ｈ０'の高さ位置から上昇した距離、ｈ２'は、チャッキングされターンテーブル上に載置された光ディスク１００の下面の、ボトムケース１０'の内面からの高さ寸法、ｇ２'は、該光ディスク１００の下面とイジェクトアーム部材３１'のアーム部３１ｂ'の表面との間のギャップ寸法、ｊ２'は、カバー部材５'の平面部５ａ'とイジェクトアーム部材３１'の下面との間のギャップ寸法である。
【００２７】
かかる図７（ａ）、（ｂ）においては、イジェクトアーム部材３１'のアーム部３１ｂ'の裏面（ガイドシャフト２０１'の先端またはブラケット８'の平面部に当接する面）の高さｈ０'＋ｊ１'、ｈ０'＋△ｈ０'＋ｊ２'は、図６（ａ）、（ｂ）におけるイジェクトアーム部材３１のアーム部３１ｂの裏面の高さｈ０より高くなる。例えば、ｈ０'＝ｈ０の場合には、図７（ａ）、（ｂ）におけるイジェクトアーム部材３１'のアーム部３１ｂ'の裏面の高さ位置は、図６（ａ）、（ｂ）におけるイジェクトアーム部材３１のアーム部３１ｂの裏面の高さ位置よりも、ｊ１'、△ｈ０'＋ｊ２'だけ高くなる。さらに、図７（ｂ）の場合、広幅構造のイジェクトアーム部材３１'の一部が光ディスク１００の正投影領域内にあるため、光ディスク１００は、ディスク面がこれに接触しないようにするために、該イジェクトアーム部材３１'の面から十分に離間した高さ位置に配される。すなわち、記録または再生のために光ディスク１００が回転する場合、偏心等によってディスク面がＺ軸方向に変位しても該ディスク面がイジェクトアーム部材３１'に接触しないようにすべく、ギャップ寸法ｇ２'を、該ディスク面変位等を見込んだ大きな値とする。このため、図７（ｂ）における光ディスク１００の下面の高さｈ２'は、図６（ｂ）における光ディスク１００の下面の高さｈ２よりも大きな値となる。例えば、ｇ２'＝ｔ＋ｇ２としたとき、図６（ｂ）の場合は、光ディスク１００の下面の高さｈ２＝ｈ０＋ｔ＋ｇ２＝ｈ０＋ｇ２'となるのに対し、図７（ｂ）の場合は、光ディスク１００の下面の高さｈ２'＝ｈ０'＋△ｈ０'＋ｊ２'＋ｔ'＋ｇ２'となり、さらに、ｈ０'＝ｈ０の場合は、ｈ２'＝ｈ０＋△ｈ０'＋ｊ２'＋ｔ'＋ｇ２'＝ｈ２＋△ｈ０'＋ｊ２'＋ｔ'となる。
【００２８】
上記のように、図１、図２の光ディスク装置１の場合（図６（ａ）、（ｂ））は、イジェクトアーム部材３１や光ディスクの高さ位置を、従来技術の場合（図７（ａ）、（ｂ））に比べ、大幅に低位置とすることができる。この結果、図１、図２の光ディスク装置１においては、装置の薄型化が可能となり、装置の厚さ寸法すなわちトップカバー１１の外表面とボトムケース１０の外表面との間の距離を９．５×１０−３ｍ以下とすることが可能とる。また、カバー部材５を利用してイジェクトアーム部材３１を支持する構成のため、ガイドシャフト部材などの高さ規制用部材が不要となり、部分数の削減や低コスト化にもつながる。
【００２９】
上記のように、本発明の実施例によれば、狭幅構造のイジェクトアーム部材を、安定して支持することができ、光ディスク１００のローディング及びアンローディング時におけるディスク面保護を確保した状態で、ディスク面の高さ位置を低くし、装置の薄型化を図ることができる。
【００３０】
なお、上記実施例は、スロットイン型の光ディスク装置の場合であるが、本発明の光ディスク装置は、これに限定されず、他の方式・構造の光ディスク装置であってもよい。
【図面の簡単な説明】
【００３１】
【図１】本発明の実施例としての光ディスク装置の全体構成例図である。
【図２】図１の光ディスク装置のプレイ動作可能な状態を示す図である。
【図３】図１、図２の光ディスク装置におけるイジェクトアーム部材とその支持構造の説明図である。
【図４】図１、図２の光ディスク装置におけるカバー部材の構造図である。
【図５】図１、図２の光ディスク装置におけるイジェクトアーム部材の変位特性例を示す図である。
【図６】図１、図２の光ディスク装置における薄型化効果の説明図である。
【図７】図１、図２の光ディスク装置における薄型化効果の説明図である。
【符号の説明】
【００３２】
１…光ディスク装置、
１００…光ディスク、
２…ディスクモータ、
２ａ…ターンテーブル、
３…クランパ部、
４…光ピックアップ、
４ａ…対物レンズ、
５…カバー部材、
５ａ、５ｂ…平面部、
７…シャーシ、
８…ブラケット、
９…ユニットメカ部、
９１…ユニットメカデッキ部材、
１０…ボトムケース、
１１…トップカバー、
２５、２６、３１ｃ…回動支点、
３１…イジェクトアーム部材、
３１ａ…ディスク当接部、
３１ｂ…アーム部、
３１ｅ…アーム結合部、
３０…昇降機構、
６０…送りモータ、
８０…ローディングモータ、
７１…ディスクスロットアーム部材、
７２…サブレバー部材、
Ｐ−Ｐ'…支点線。
【図１】
2007213673.tif 000003
【図２】
2007213673.tif 000004
【図３】
2007213673.tif 000005
【図４】
2007213673.tif 000006
【図５】
2007213673.tif 000007
【図６】
2007213673.tif 000008
【図７】
2007213673.tif 000009